(57)【特許請求の範囲】
【請求項１】
スピーカ、聴取者の頭部に装着されると共に前記スピーカを前記聴取者の耳穴から当該頭部の側方に離間した所定位置に配置させる装着部、周囲音を集音して音響信号として出力するマイク、および前記音響信号を増幅して前記スピーカに供給する増幅部を備え、
前記装着部は、弾性を有するアーチ状のバンド部と、当該バンド部の各先端部に連結されて当該バンド部が前記頭部に装着された際に当該バンド部の弾性力によって前記頭部の側頭部に押し付けられる一対の押付部と、一端が前記押付部に連結されると共に他端に前記スピーカが連結されて当該スピーカを前記所定位置に支持する支持アームとを有し、
前記マイクは、前記一対の押付部の少なくとも一方に取り付けられている聴取補助装置であって、
前記スピーカは、スピーカユニット、および前面に前記スピーカユニットが取り付けられると共に背面側が半カップ状に形成されて前記支持アームの前記他端に連結されたエンクロージャを備え、当該エンクロージャの内部に音反射材および音吸収材が当該エンクロージャの奥部側から前記スピーカユニットに向けてこの順に積層されると共に、前記音吸収材の中心に前記音反射材の表面を当該スピーカユニット側に露出させる孔が形成されている聴取補助装置。
【請求項２】
スピーカ、聴取者の頭部に装着されると共に前記スピーカを前記聴取者の耳穴から当該頭部の側方に離間した所定位置に配置させる装着部、周囲音を集音して音響信号として出力するマイク、および前記音響信号を増幅して前記スピーカに供給する増幅部を備え、
前記装着部は、弾性を有するアーチ状のバンド部と、当該バンド部の各先端部に連結されて当該バンド部が前記頭部に装着された際に当該バンド部の弾性力によって前記頭部の側頭部に押し付けられる一対の押付部と、一端が前記押付部に連結されると共に他端に前記スピーカが連結されて当該スピーカを前記所定位置に支持する支持アームとを有し、
前記マイクは、前記一対の押付部の少なくとも一方に取り付けられている聴取補助装置であって、
前記押付部は、
中心に第１貫通孔が形成されると共に上面に第１噛合部が形成された偏平な円板体と、
前記円板体の前記上面に対向して配設されると共に中心に第２貫通孔が形成され、かつ当該円板体の当該上面との対向面に前記第１噛合部と噛合可能な第２噛合部が形成された円板状の第１支持壁、当該円板体の底面に対向して配設されると共に当該円板体の当該底面との対向面の中心に円形凹部が形成された円板状の第２支持壁および前記各支持壁の周縁部分を一部を残して連結する周壁を有する本体部と、
前記第１貫通孔および前記第２貫通孔を貫通すると共に一方の端部が前記円形凹部内に挿入され、かつ他方の端部が前記第１支持壁から突出した状態で配設されたピン本体、および当該ピン本体の前記他方の端部に形成されたピン頭部を有する取付ピンと、
前記ピン本体の外周面における前記円板体と前記第２支持壁との間に位置する部位に装着されて、前記取付ピンの抜脱を防止する抜け止めリングと、
前記第２支持壁と前記抜け止めリングとの間に配設されて、当該第２支持壁に対して当該抜け止めリングを当該抜け止めリングが装着された前記取付ピンおよび当該抜け止めリングと当接する前記円板体と共に前記第１支持壁側に向けて常時付勢するバネ部材とを備え、
前記バンド部の前記先端部は、前記押付部における前記本体部および前記円板体のいずれか一方に連結され、
前記支持アームの前記一端は、前記押付部における前記本体部および前記円板体のいずれか他方に連結されている聴取補助装置。
【請求項３】
スピーカ、聴取者の頭部に装着されると共に前記スピーカを前記聴取者の耳穴から当該頭部の側方に離間した所定位置に配置させる装着部、周囲音を集音して音響信号として出力するマイク、および前記音響信号を増幅して前記スピーカに供給する増幅部を備え、
前記装着部は、弾性を有するアーチ状のバンド部と、当該バンド部の各先端部に連結されて当該バンド部が前記頭部に装着された際に当該バンド部の弾性力によって前記頭部の側頭部に押し付けられる一対の押付部と、一端が前記押付部に連結されると共に他端に前記スピーカが連結されて当該スピーカを前記所定位置に支持する支持アームとを有し、
前記マイクは、前記一対の押付部の少なくとも一方に取り付けられている聴取補助装置であって、
前記マイクは、前記頭部の前方側に位置する端部が開口する筒状に形成された筐体、および前記筐体における前記頭部の後方側に位置する端部の内面に配設されて、入力した前記周囲音を前記音響信号に変換するマイク本体を備え、前記筐体における前記前方側の端部は、前記押付部寄りの口縁に対して当該押付部から離れた口縁が前記頭部の後方側に後退した状態で形成されている聴取補助装置。
【請求項４】
前記音吸収材は、第１音吸収材と、当該第１音吸収材よりも低域側の音を吸収する第２音吸収材とが前記エンクロージャの奥部側から前記スピーカユニットに向けて積層されて構成されている請求項１記載の聴取補助装置。
【請求項５】
前記押付部は、当該押付部における前記側頭部との接触面に対して直交する第１軸線を中心とする前記支持アームの回動を可能に構成されている請求項１から４のいずれかに記載の聴取補助装置。
【請求項６】
前記スピーカは、前記支持アームの長さ方向に沿った第２軸線を中心として回動自在に当該支持アームの前記他端に連結されている請求項１から５のいずれかに記載の聴取補助装置。
【請求項７】
前記マイクは、前記一対の押付部のそれぞれに取り付けられ、
前記増幅部は、前記各マイクから出力される前記音響信号をそれぞれ増幅すると共に、当該マイクと同じ前記押付部に取り付けられた前記スピーカに供給する請求項１から６のいずれかに記載の聴取補助装置。
【請求項８】
前記マイクは、聴取者の頭部前方からの前記周囲音を主として集音する指向性を有している請求項１から７のいずれかに記載の聴取補助装置。
【発明の詳細な説明】
【技術分野】
【０００１】
本発明は、聴力が衰えた高齢者や聴力に障害のある障害者の聴取（聞き取り）を補助する頭部装着型の聴取補助装置に関するものである。
【背景技術】
【０００２】
この種の聴取補助装置として、下記特許文献１，２に開示されている聴取補助装置（補聴器および音声増幅装置）が知られている。これらの装置はいずれも、マイクロホン、イヤホンおよびマイクロホンで受けた音声信号を増幅してイヤホンに供給するアンプを備えて構成されている。また、これらの装置では、イヤホンは耳穴内に挿入されて使用される。
【先行技術文献】
【特許文献】
【０００３】
【特許文献１】実開平４−６１９９６号公報（第３−４頁、第１図）
【特許文献２】特開２０００−５０３８１号公報（第２−３頁、第１図）
【発明の概要】
【発明が解決しようとする課題】
【０００４】
ところが、上記の聴取補助装置には、以下のような解決すべき課題が存在している。すなわち、この聴取補助装置では、イヤホンを耳穴内に挿入する構成を採用している。したがって、この聴取補助装置には、耳穴内の汚れがイヤホンの表面に付着して見苦しくなるという課題、および使用者毎に耳穴の形状が異なることに起因して、イヤホンの装着時に耳が痛くなったり、イヤホンが外れ易かったりといった装着感に問題の生じる場合あるという課題が存在している。
【０００５】
本発明は、かかる課題を改善するためになされたものであり、耳穴内の汚れの付着を回避しつつ良好な装着感で聴取を補助し得る聴取補助装置を提供することを主目的とする。
【課題を解決するための手段】
【０００６】
上記目的を達成すべく請求項１記載の聴取補助装置は、スピーカ、聴取者の頭部に装着されると共に前記スピーカを前記聴取者の耳穴から当該頭部の側方に離間した所定位置に配置させる装着部、周囲音を集音して音響信号として出力するマイク、および前記音響信号を増幅して前記スピーカに供給する増幅部を備え、前記装着部は、弾性を有するアーチ状のバンド部と、当該バンド部の各先端部に連結されて当該バンド部が前記頭部に装着された際に当該バンド部の弾性力によって前記頭部の側頭部に押し付けられる一対の押付部と、一端が前記押付部に連結されると共に他端に前記スピーカが連結されて当該スピーカを前記所定位置に支持する支持アームとを有し、前記マイクは、前記一対の押付部の少なくとも一方に取り付けられている聴取補助装置であって、前記スピーカは、スピーカユニット、および前面に前記スピーカユニットが取り付けられると共に背面側が半カップ状に形成されて前記支持アームの前記他端に連結されたエンクロージャを備え、当該エンクロージャの内部に音反射材および音吸収材が当該エンクロージャの奥部側から前記スピーカユニットに向けてこの順に積層されると共に、前記音吸収材の中心に前記音反射材の表面を当該スピーカユニット側に露出させる孔が形成されている。
請求項２記載の聴取補助装置は、スピーカ、聴取者の頭部に装着されると共に前記スピーカを前記聴取者の耳穴から当該頭部の側方に離間した所定位置に配置させる装着部、周囲音を集音して音響信号として出力するマイク、および前記音響信号を増幅して前記スピーカに供給する増幅部を備え、前記装着部は、弾性を有するアーチ状のバンド部と、当該バンド部の各先端部に連結されて当該バンド部が前記頭部に装着された際に当該バンド部の弾性力によって前記頭部の側頭部に押し付けられる一対の押付部と、一端が前記押付部に連結されると共に他端に前記スピーカが連結されて当該スピーカを前記所定位置に支持する支持アームとを有し、前記マイクは、前記一対の押付部の少なくとも一方に取り付けられている聴取補助装置であって、前記押付部は、中心に第１貫通孔が形成されると共に上面に第１噛合部が形成された偏平な円板体と、前記円板体の前記上面に対向して配設されると共に中心に第２貫通孔が形成され、かつ当該円板体の当該上面との対向面に前記第１噛合部と噛合可能な第２噛合部が形成された円板状の第１支持壁、当該円板体の底面に対向して配設されると共に当該円板体の当該底面との対向面の中心に円形凹部が形成された円板状の第２支持壁および前記各支持壁の周縁部分を一部を残して連結する周壁を有する本体部と、前記第１貫通孔および前記第２貫通孔を貫通すると共に一方の端部が前記円形凹部内に挿入され、かつ他方の端部が前記第１支持壁から突出した状態で配設されたピン本体、および当該ピン本体の前記他方の端部に形成されたピン頭部を有する取付ピンと、前記ピン本体の外周面における前記円板体と前記第２支持壁との間に位置する部位に装着されて、前記取付ピンの抜脱を防止する抜け止めリングと、前記第２支持壁と前記抜け止めリングとの間に配設されて、当該第２支持壁に対して当該抜け止めリングを当該抜け止めリングが装着された前記取付ピンおよび当該抜け止めリングと当接する前記円板体と共に前記第１支持壁側に向けて常時付勢するバネ部材とを備え、前記バンド部の前記先端部は、前記押付部における前記本体部および前記円板体のいずれか一方に連結され、前記支持アームの前記一端は、前記押付部における前記本体部および前記円板体のいずれか他方に連結されている。
請求項３記載の聴取補助装置は、スピーカ、聴取者の頭部に装着されると共に前記スピーカを前記聴取者の耳穴から当該頭部の側方に離間した所定位置に配置させる装着部、周囲音を集音して音響信号として出力するマイク、および前記音響信号を増幅して前記スピーカに供給する増幅部を備え、前記装着部は、弾性を有するアーチ状のバンド部と、当該バンド部の各先端部に連結されて当該バンド部が前記頭部に装着された際に当該バンド部の弾性力によって前記頭部の側頭部に押し付けられる一対の押付部と、一端が前記押付部に連結されると共に他端に前記スピーカが連結されて当該スピーカを前記所定位置に支持する支持アームとを有し、前記マイクは、前記一対の押付部の少なくとも一方に取り付けられている聴取補助装置であって、前記マイクは、前記頭部の前方側に位置する端部が開口する筒状に形成された筐体、および前記筐体における前記頭部の後方側に位置する端部の内面に配設されて、入力した前記周囲音を前記音響信号に変換するマイク本体を備え、前記筐体における前記前方側の端部は、前記押付部寄りの口縁に対して当該押付部から離れた口縁が前記頭部の後方側に後退した状態で形成されている。
【０００９】
請求項４記載の聴取補助装置は、請求項１記載の聴取補助装置において、前記音吸収材は、第１音吸収材と、当該第１音吸収材よりも低域側の音を吸収する第２音吸収材とが前記エンクロージャの奥部側から前記スピーカユニットに向けて積層されて構成されている。
【００１１】
請求項５記載の聴取補助装置は、請求項１から４のいずれかに記載の聴取補助装置において、前記押付部は、当該押付部における前記側頭部との接触面に対して直交する第１軸線を中心とする前記支持アームの回動を可能に構成されている。
請求項６記載の聴取補助装置は、請求項１から５のいずれかに記載の聴取補助装置において、前記スピーカは、前記支持アームの長さ方向に沿った第２軸線を中心として回動自在に当該支持アームの前記他端に連結されている。
【００１２】
請求項７記載の聴取補助装置は、請求項１から６のいずれかに記載の聴取補助装置において、前記マイクは、前記一対の押付部のそれぞれに取り付けられ、前記増幅部は、前記各マイクから出力される前記音響信号をそれぞれ増幅すると共に、当該マイクと同じ前記押付部に取り付けられた前記スピーカに供給する。
【００１３】
請求項８記載の聴取補助装置は、請求項１から７のいずれかに記載の聴取補助装置において、前記マイクは、聴取者の頭部前方からの前記周囲音を主として集音する指向性を有している。
【発明の効果】
【００１５】
請求項１記載の聴取補助装置では、装着部の頭部への装着状態において、各スピーカが、頭部における側頭部を挟持する各押付部に連結された支持アームによって耳穴から頭部の側方に離間した所定位置に配置されている。したがって、この聴取補助装置によれば、耳穴内の汚れがスピーカの表面に付着して見苦しくなるという事態、および装着部の装着によって耳が痛くなるという事態の発生を確実に防止することができるため、良好な装着感を聴取者に与えることができる。
【００１７】
また、この聴取補助装置では、スピーカが、半カップ状に形成されたエンクロージャの内部に音反射材および吸音材がエンクロージャの奥部側からスピーカユニット方向に向けて積層されると共に、吸音材の中心に音反射材の表面をスピーカユニット側に露出させる孔が形成されて構成されている。
【００１８】
したがって、この聴取補助装置によれば、スピーカユニットからその背面側に出力される音のうち、エンクロージャの軸線に沿った方向に向かう音については、吸音材の孔を介して音反射材に到達させると共に音反射材によってスピーカユニット側に反射させ、軸線に沿った方向以外の方向に向かう音については吸音材で吸収することができる。また、音反射材によってスピーカユニット側に反射される音のうち、エンクロージャの軸線に沿った方向に向かう音についてはエンクロージャの正面側から出力させ、軸線に沿った方向以外の方向に向かう音については吸音材で吸収することができる。これにより、この聴取補助装置によれば、スピーカの軸線の方向への指向性を十分に高めつつ、エンクロージャからの音漏れの少ない状態で、効率よく耳穴に音を出力することができるため、スピーカユニットから出力される音を一層効率よく聴取することができる。また、この聴取補助装置によれば、スピーカのエンクロージャにおける背面側が半カップ状に形成されているため、エンクロージャから出力される音に対する共振が生じにくく、これによってスピーカの周波数特性がよりフラットに近い状態になるため、優れた音質で音を出力することができる。
請求項２記載の聴取補助装置では、装着部の頭部への装着状態において、各スピーカが、頭部における側頭部を挟持する各押付部に連結された支持アームによって耳穴から頭部の側方に離間した所定位置に配置されている。したがって、この聴取補助装置によれば、耳穴内の汚れがスピーカの表面に付着して見苦しくなるという事態、および装着部の装着によって耳が痛くなるという事態の発生を確実に防止することができるため、良好な装着感を聴取者に与えることができる。また、この聴取補助装置では、押付部が、円板体、本体部、取付ピン、抜け止めリングおよびバネ部材を備えて構成されているため、簡単な構造でありながら、バンド部に対するスピーカの回動を可能にすることができるため、一対の押付部で頭部の側頭部を挟持した状態でのバンド部の頭部の装着位置の自由度を高めつつ、各スピーカを所定位置に確実に配置することができる。
請求項３記載の聴取補助装置では、装着部の頭部への装着状態において、各スピーカが、頭部における側頭部を挟持する各押付部に連結された支持アームによって耳穴から頭部の側方に離間した所定位置に配置されている。したがって、この聴取補助装置によれば、耳穴内の汚れがスピーカの表面に付着して見苦しくなるという事態、および装着部の装着によって耳が痛くなるという事態の発生を確実に防止することができるため、良好な装着感を聴取者に与えることができる。また、この聴取補助装置では、マイクは、頭部の前方側に位置する端部が開口する筒状に形成された筐体、および筐体における頭部の後方側の内面に配設されたマイク本体を備え、筐体における前方側の端部は、押付部寄りの口縁に対して押付部から離れた口縁が頭部の後方側に後退した状態で形成されている。したがって、この聴取補助装置によれば、筐体の開口部分が頭部の側方に一層開口する構成となるため、聴取者の頭部の前方からの周囲音についての指向性を確保しつつ、頭部側方からの周囲音をより聴取し易くすることができる。
【００１９】
請求項４記載の聴取補助装置によれば、第１吸音材と、第１吸音材よりも低域側の音を吸収する第２吸音材とがエンクロージャの奥部側からスピーカユニット方向に向けて積層されて構成されているため、エンクロージャからの不要な音の漏れ出しを低音域から高音域に亘って十分に抑制することができる。
【００２１】
請求項６記載の聴取補助装置では、スピーカが支持アームの長さ方向に沿った第２軸線を中心として回動自在に支持アームに連結されているため、スピーカの向きを微調整することができることから、スピーカが耳穴の方向に向く所定位置にスピーカを確実に配置することができる。これにより、スピーカから出力される音をより一層効率よく聴取することができる。
【００２２】
請求項７記載の聴取補助装置では、マイクが一対の押付部のそれぞれに取り付けられ、増幅部が各マイクから出力される音響信号をそれぞれ増幅すると共に、マイクと同じ押付部に取り付けられたスピーカに供給する。したがって、この聴取補助装置によれば、聴取者は、聴取者の左右の耳とほぼ同じ位置に配置された左右のマイクで個別に集音された周囲音を、マイクに対応する左右のスピーカから増幅した状態で、かつステレオで聞くことができるため、違和感の極めて少ない状態で周囲音を聴取することができる。
【００２３】
請求項８記載の聴取補助装置によれば、マイクが聴取者の頭部の前方からの周囲音を主として集音する指向性を有しているため、自身の耳で聴取可能な聴取者の近傍の周囲音については自身の耳で直接聴取しつつ、聞き取り難い離間した位置からの周囲音を増幅して聴取することができる。
【図面の簡単な説明】
【００２５】
【図１】聴取補助装置１の構成およびヘッドセットＨＳの頭部１００への装着状態を説明するための説明図である。
【図２】ヘッドセットＨＳの構成を説明するための斜視図である。
【図３】ヘッドセットＨＳのバンド部３１、押付部３２、支持アーム３３およびスピーカ２の拡大図である。
【図４】スピーカ２の構造を説明するための分解断面図である。
【図５】スピーカ２の内部構造を説明するための図２におけるＷ２−Ｗ２線断面図である。
【図６】スピーカ２の円筒状連結部２１の内部構造を説明するための図５におけるＷ３−Ｗ３線断面図である。
【図７】スピーカ２の円筒状連結部２１の内部構造と連結ピン１４の構造とを説明するための図５におけるＷ４−Ｗ４線断面図である。
【図８】連結ピン１４を第２フランジ部１４ｃ側から見た図である。
【図９】押付部３２の分解斜視図である。
【図１０】第１噛合部４１ｃおよび第２噛合部５１ｃが噛合状態のときの押付部３２の内部構造を説明するための図３におけるＷ１−Ｗ１線断面図（マイク４の図示を省略した状態の断面図）である。
【図１１】第１噛合部４１ｃおよび第２噛合部５１ｃの噛合状態が解除されているときの押付部３２の内部構造を説明するための図３におけるＷ１−Ｗ１線断面図（マイク４の図示を省略した状態の断面図）である。
【図１２】マイク４の他の構成を説明するためのヘッドセットＨＳの部分平面図である。
【発明を実施するための形態】
【００２６】
以下、聴取補助装置の実施の形態について、添付図面を参照して説明する。
【００２７】
最初に、聴取補助装置１の構成について、図面を参照して説明する。
【００２８】
聴取補助装置１は、図１，２に示すように、スピーカ２（本例では、一対のスピーカ２，２）、装着部３およびマイク４を備えたヘッドセットＨＳと、ケーブルＣＡを介してヘッドセットＨＳと接続されたコントローラ５とを備えている。この聴取補助装置１は、聴取者の頭部１００にヘッドセットＨＳが装着された状態において、マイク４が周囲音を集音して音響信号としてケーブルＣＡを介してコントローラ５に出力し、コントローラ５（具体的には、コントローラ５に内蔵されている後述の増幅部５ｂ）がこの音響信号を増幅すると共に、増幅された音響信号をケーブルＣＡを介して各スピーカ２に供給（出力）する。これにより、マイク４で集音された聴取者の周囲音が、その音量が増大されて各スピーカ２から聴取者の耳穴１０１に出力されるため、聴取の補助が行われる。
【００２９】
各スピーカ２は、図１，２，４，５に示すように、エンクロージャ１１、スピーカユニット１２、スピーカカバー１３、連結ピン１４、音反射材１５、１または２以上の吸音材（本例では、第１吸音材１６および第２吸音材１７の２つの吸音材）をそれぞれ備えて同一に構成されて、装着部３を構成する後述の一対の支持アーム３３のうちの対応する支持アーム３３に連結ピン１４を介して第２軸線Ｌ２を中心として回動自在にそれぞれ連結されている（図１，３，５参照）。
【００３０】
具体的には、エンクロージャ１１は、図４，５に示すように、前面（同図の右側面）が円形に開口すると共に、背面側（同図の左面側）が半カップ状（例えば、半球状または半楕円球状（本例では、一例として半楕円球状））に形成されて構成されている。また、エンクロージャ１１の外面には、スピーカカバー１３の外面に形成された後述の半円筒部１３ｄと結合することにより、連結ピン１４が収容される円筒状連結部２１（図５，６，７参照）を構成する半円筒部１１ａが形成されている。
【００３１】
この場合、半楕円球状に形成されているエンクロージャ１１の軸線をＬ３としたときに、本例では、一例として上記の円筒状連結部２１の中心軸（上記の第２軸線Ｌ２と一致する軸。以下、中心軸Ｌ２ともいう）が軸線Ｌ３と直交するように、半円筒部１１ａがエンクロージャ１１の外面に起立した状態で形成されている。また、半円筒部１１ａの内面には、平面視が長方形状の第１リブ部１１ｂ（図７参照）および半円環状の第２リブ部１１ｃ（図６参照）が、図４に示すように、エンクロージャ１１の中心（軸線Ｌ３）側から離間する方向に向けてこの順に、かつ上記の中心軸Ｌ２と直交する互いに異なる平面内に位置する状態で形成されている。また、第２リブ部１１ｃには、図４，５，６に示すように、複数の係合孔（本例では、一例として、図６に示すように３つの係合孔１１ｄ，１１ｅ，１１ｆ）が中心軸Ｌ２を中心とした同心円上に等角度間隔（例えば、約１５度間隔）で形成されている。
【００３２】
スピーカユニット１２は、音が出力される正面側がエンクロージャ１１の前面側に位置するようにエンクロージャ１１の前面に取り付けられている。つまり、スピーカユニット１２からスピーカカバー１３に向けて音が出力されるように取り付けられている。この場合、スピーカユニット１２は、スピーカユニット１２の中心軸が軸線Ｌ３と一致する状態でエンクロージャ１１に取り付けられている。また、スピーカユニット１２には、中心軸方向に向けての指向性の強いスピーカユニットが使用されている。
【００３３】
スピーカカバー１３は、一例として、エンクロージャ１１における開口部分の直径と同径に形成された円筒体１３ａと、円筒体１３ａの前面（同図の右側面）側の開口部分を覆うようにして形成されると共に数多くの貫通孔Ａが形成されたカバー部１３ｂと、円筒体１３ａの前面における周縁部分に全周に亘って延出して形成されたフード部１３ｃとを備えている。この場合、フード部１３ｃは、円筒体１３ａの前面から均一な長さで延出させる不図示の構成を採用することもできるが、本例では、スピーカユニット１２から出力された音を聴取者の頭部１００側に指向するように、頭部１００に近接する側（図４，５中の上側。後述の半円筒部１３ｄ側）よりも、頭部１００から離間する側（図４，５中の下側）をより長く延出させる構成を採用している。また、スピーカカバー１３の外面には、半円筒部１１ａと結合することにより、上記の円筒状連結部２１を構成する半円筒部１３ｄが形成されている。
【００３４】
この場合、上記の円筒状連結部２１の中心軸Ｌ２が円筒体１３ａの軸線（エンクロージャ１１の軸線Ｌ３と同軸）と直交するように、半円筒部１３ｄが円筒体１３ａの外面に起立した状態で形成されている。また、半円筒部１３ｄの内面には、平面視が長方形状の第３リブ部１３ｅおよび半円環状の第４リブ部１３ｆが、円筒体１３ａの中心（軸線）側から離間する方向に向けてこの順に、かつ上記の中心軸Ｌ２と直交する互いに異なる平面（第３リブ部１３ｅは第１リブ部１１ｂと同じ平面、第４リブ部１３ｆは第２リブ部１１ｃと同じ平面）内に位置する状態で形成されている。また、第４リブ部１３ｆには、図４，５，６に示すように、複数の係合孔（本例では、一例として、図６に示すように、３つの係合孔１３ｇ，１３ｈ，１３ｉ）が中心軸Ｌ２を中心とした同心円上に係合孔１１ｄ，１１ｅ，１１ｆと同じ角度間隔で形成されている。この場合、中心軸Ｌ２を中心として、係合孔１３ｇと係合孔１１ｆとが点対称の位置に配置され、係合孔１３ｈと係合孔１１ｅとが点対称の位置に配置され、係合孔１３ｉと係合孔１１ｄとが点対称の位置に配置されている。
【００３５】
以上の構成により、図５に示すように、エンクロージャ１１にスピーカカバー１３が装着された状態では、エンクロージャ１１の半円筒部１１ａとスピーカカバー１３の半円筒部１３ｄとが接合することによって全体として上記の円筒状連結部２１が構成される。また、この状態において、半円筒部１１ａに形成されている半円環状の第２リブ部１１ｃおよび半円筒部１３ｄに形成されている半円環状の第４リブ部１３ｆも図６に示すように互いに接合して、全体として１つの円環状のリブ部２２を構成する。
【００３６】
連結ピン１４は、図４に示すように、外径が円形孔２２ａの直径よりも若干小径に形成された円柱状のピン本体部１４ａ、ピン本体部１４ａの一端部（同図中の上端）における外周面に形成された円環状の第１フランジ部１４ｂ、ピン本体部１４ａの他端部（同図中の下端）における外周面に形成された円環状の第２フランジ部１４ｃ、ピン本体部１４ａの長さ方向に沿った中間部の外周面に形成された円環状の第３フランジ部１４ｄ、第２フランジ部１４ｃの第３フランジ部１４ｄとの対向面における中心軸（ピン本体部１４ａの中心軸）を中心とした同心円（係合孔１１ｄ等や係合孔１３ｇが形成された円と同径の円）上であって、かつこの中心軸を基準とした点対称の位置に突設された一対の係合突起１４ｅ、図７，８に示すように第２フランジ部１４ｃにおける各係合突起１４ｅの内側に中心軸を中心とした同心円上に位置する状態で形成された一対の弧状スリット部１４ｆ、および第２フランジ部１４ｃの各係合突起１４ｅが形成された面（上記の対向面）の背面に各弧状スリット部１４ｆの周方向に沿った両口縁部位に立設された４つのストッパピン１４ｇを備えている。また、ピン本体部１４ａの中央には、中心線方向に沿って貫通する挿通孔１４ｈが形成されている。この挿通孔１４ｈには、イヤホンジャックから入力された音響信号をスピーカユニット１２に伝達するための不図示のケーブルが挿通される。
【００３７】
また、この連結ピン１４では、第２フランジ部１４ｃの板厚（ピン本体部１４ａの中心軸方向に沿った厚み）は、円筒状連結部２１内に形成されるリブ部２２と、第１リブ部１１ｂ（および第３リブ部１３ｅ）との間の距離よりも若干薄く形成されている。また、一の弧状スリット部１４ｆの両端に形成されている一対のストッパピン１４ｇの間隔は、図７に示すように、第１リブ部１１ｂの幅（第３リブ部１３ｅの幅と同一）よりも幅広に形成されている。
【００３８】
以上の構成を備えた連結ピン１４は、図５に示すように、ピン本体部１４ａがリブ部２２の中心に形成される円形孔２２ａを貫通し、かつ第１リブ部１１ｂ（および第３リブ部１３ｅ）とリブ部２２（第２リブ部１１ｃと第４リブ部１３ｆ）との間に第２フランジ部１４ｃが収容され、かつ半円筒部１１ａにおける第２リブ部１１ｃの上側領域（半円筒部１３ｄにおける第４リブ部１３ｆの上側領域でもある）内に第３フランジ部１４ｄが収容され、かつ図７に示すように、一の弧状スリット部１４ｆの両口縁部に形成されている一対のストッパピン１４ｇの間に第１リブ部１１ｂが配設され、かつ他の一の弧状スリット部１４ｆの両口縁部に形成されている一対のストッパピン１４ｇの間に第３リブ部１３ｅが配設された状態で円筒状連結部２１に、ピン本体部１４ａの中心軸が円筒状連結部２１の中心軸Ｌ２に一致した状態で装着されている。
【００３９】
また、連結ピン１４は、円筒状連結部２１内において中心軸Ｌ２を中心として回動可能であり、第２フランジ部１４ｃに形成された２つの係合突起１４ｅのうちの一方の係合突起１４ｅが半円筒部１１ａの第２リブ部１１ｃに形成された係合孔１１ｄ内に進入して係合し、かつ他方の係合突起１４ｅが半円筒部１３ｄの第４リブ部１３ｆに形成された係合孔１３ｉ内に進入して係合する第１位置と、一方の係合突起１４ｅが第２リブ部１１ｃに形成された係合孔１１ｅ内に進入して係合し、かつ他方の係合突起１４ｅが第４リブ部１３ｆに形成された係合孔１３ｈ内に進入して係合する第２位置と、一方の係合突起１４ｅが第２リブ部１１ｃに形成された係合孔１１ｆ内に進入して係合し、かつ他方の係合突起１４ｅが第４リブ部１３ｆに形成された係合孔１３ｇ内に進入して係合する第３位置の３つの位置において、位置決めされる。
【００４０】
なお、上記したように、一の弧状スリット部１４ｆの両端に形成されている一対のストッパピン１４ｇの間隔は、図７に示すように、第１リブ部１１ｂの幅（第３リブ部１３ｅの幅と同一）よりも幅広に形成されているため、連結ピン１４は、第１リブ部１１ｂ側の一方のストッパピン１４ｇ（例えば、同図中の上側のもの）が第１リブ部１１ｂの一方の端部（例えば、同図中の上端部）に当接し、かつ第３リブ部１３ｅ側の他方のストッパピン１４ｇ（例えば、同図中の下側のもの）が第３リブ部１３ｅの他方の端部（例えば、同図中の下端部）に当接して回動が規制される位置と、第１リブ部１１ｂ側のストッパピン１４ｇ（同図中の下側のもの）が第１リブ部１１ｂの他方の端部（同図中の下端部）に当接し、かつ第３リブ部１３ｅ側の一方のストッパピン１４ｇ（同図中の上側のもの）が第３リブ部１３ｅの一方の端部（同図中の上端部）に当接して回動が規制される位置との間でのみ回動する。
【００４１】
この連結ピン１４では、上記したように、係合孔１１ｄ，１１ｅ，１１ｆのいずれかと係合する上記の一方の係合突起１４ｅ、および係合孔１３ｇ，１３ｈ，１３ｉのいずれかと係合する上記の他方の係合突起１４ｅは、弧状スリット部１４ｆが形成されることによって幅狭のアーチ状に形成されて可撓性の高められている第２フランジ部１４ｃの外周側部位に位置している。このため、連結ピン１４を回動させて、上記の第１位置〜第３位置のいずれかの位置から他の位置に位置決めする際に、上記の外周側部位が適度な弾性力を持って変形して各係合突起１４ｅをピン本体部１４ａの軸線方向に沿って移動させることができるため、各係合突起１４ｅおよび各係合孔の相互に加わる応力を軽減することができる。このため、各係合突起１４ｅおよび各係合孔の摩耗を大幅に軽減しつつ、連結ピン１４の位置決めに適度なクリック感を持たせることが可能となっている。
【００４２】
音反射材１５、第１吸音材１６および第２吸音材１７は、図５に示すように、エンクロージャ１１の内部にエンクロージャ１１の奥部側（同図の左側）からスピーカユニット１２の方向に向けてこの順に積層されて配設されている。この場合、音反射材１５、第１吸音材１６および第２吸音材１７は、図４に示すように、それぞれの外形形状が、エンクロージャ１１の内部におけるそれぞれの配設位置でのエンクロージャ１１の内周面の形状に合わせた形状に予め形成されることで、エンクロージャ１１の内周面に密着した状態で配設されている。なお、第１吸音材１６および第２吸音材１７は、上記の順とは逆の順番で積層することもできる。
【００４３】
また、第１吸音材１６および第２吸音材１７は、音反射材１５の表面をスピーカユニット１２側に露出させる円形孔１６ａ，１７ａ（孔の一例。それぞれの中心軸が軸線Ｌ３と同軸となる孔）がそれぞれの中心に形成されている。また、本例では、一例として、円形孔１６ａ，１７ａの内面形状が、図４，５に示すように、全体として、音反射材１５側からスピーカユニット１２側に向けて内径が徐々に拡径するホーン状になるように形成されている。
【００４４】
以上のようにして、エンクロージャ１１の背面側を半楕円球状（または半球状）に形成し、かつこのエンクロージャ１１内に、スピーカユニット１２からその背面側に出力される音のうちエンクロージャ１１の軸線Ｌ３から大きく外れる方向に向かう音を吸収してエンクロージャ１１の外部への漏れ出しを低減する第１吸音材１６および第２吸音材１７をスピーカユニット１２側に配設すると共に、スピーカユニット１２からその背面側に出力される音のうちエンクロージャ１１の軸線Ｌ３に沿った方向に向かう音を軸線Ｌ３の方向に沿ってスピーカユニット１２の側に上記のようにしてホーン状に形成された円形孔１６ａ，１７ａを介して反射させる音反射材１５を配設したことにより、指向性の強いスピーカユニット１２の使用と相俟って、スピーカ２は、音の軸線Ｌ３方向への指向性が高められている。
【００４５】
また、第１吸音材１６よりも低域側の音をより多く吸収する吸音材（例えば、軟質ウレタンフォーム）を用いて第２吸音材１７を構成したことにより、エンクロージャ１１からの不要な音の漏れ出しを低音域から高音域に亘って十分に抑制することが可能となっている。
【００４６】
装着部３は、一例として、図１，２に示すように、バンド部３１、一対の押付部３２および一対の支持アーム３３を備え、聴取者の頭部１００に装着されると共にスピーカ２を支持して、支持しているスピーカ２を聴取者の耳穴１０１から頭部１００の側方に離間した所定位置にスピーカ２を配置させる。この場合、所定位置とは、スピーカ２内のスピーカユニット１２が耳穴１０１の方向を向いた状態で、スピーカユニット１２が頭部１００の側頭部から側方に例えば０．３ｃｍ以上２ｃｍ以下の範囲内で離間し、かつ耳穴１０１から頭部１００の前方に例えば０．３ｃｍ以上２ｃｍ以下の範囲内で離間した位置（結果として、耳穴１０１から１ｃｍ程度離間した位置）をいうものとする。
【００４７】
バンド部３１は、一例として、図１，２に示すように、全体としてアーチ状に形成されると共に、各端部側が湾曲させられて耳掛け部３１ａとして構成されている。具体的には、バンド部３１は、弾性を有する柔軟で、かつ軽量な樹脂材料等の素材を用いて形成されている。また、バンド部３１は、各耳掛け部３１ａの間隔が常態において頭部１００の幅よりも幅狭となるように形成されている。各押付部３２は、図１，２に示すように、バンド部３１の各端部（端部、各耳掛け部３１ａの先端部でもある）にそれぞれ連結されている。
【００４８】
この構成により、装着部３は、バンド部３１における各耳掛け部３１ａの間隔（つまり、各押付部３２の間隔）をバンド部３１の弾性変形力によって頭部１００の幅以上にまで変更（拡幅）させることで、頭部１００への着脱が自在となっている。また、バンド部３１は、頭部１００に装着された際には、その弾性力により、一対の押付部３２を互いに接近する方向に付勢して、この一対の押付部３２で頭部１００（具体的には、側頭部における眼窩と耳穴との間の部位（こめかみ））を挟持することにより、装着部３の装着を維持させる。
【００４９】
押付部３２の構成について、具体的に説明する。押付部３２は、図９に示すように、一例として、円板体４１、本体部４２、取付ピン４３、抜け止めリング４４およびバネ部材４５を備えている。円板体４１は、厚みが一定の偏平な円板状に形成されると共に、中心に第１貫通孔４１ａが形成され、かつ上面４１ｂに第１噛合部４１ｃが形成されている。本例では、一例として、第１噛合部４１ｃは、第１貫通孔４１ａを中心として円板体４１の径方向に沿って延びる複数の突起が等角度間隔で形成されて構成されている。また、第１貫通孔４１ａは、その内径が取付ピン４３の後述する円柱状のピン本体４３ａの外径よりも若干大径に形成されている。
【００５０】
本体部４２は、図９に示すように、円板状の第１支持壁５１、円板状の第２支持壁５２、各支持壁５１，５２の周縁部分を一部を残して連結する周壁５３、およびパッド５４を有して構成されている。
【００５１】
第１支持壁５１は、図９に示すように、円板体４１の上面４１ｂに対向して配設されると共に中心に第１貫通孔４１ａと同径の第２貫通孔５１ａが形成されている。また、第１支持壁５１は、円板体４１の上面４１ｂとの対向面５１ｂ（同図中の下面）に第１噛合部４１ｃと噛合可能な第２噛合部５１ｃが形成されている。本例では、一例として、第２噛合部５１ｃは、第２貫通孔５１ａを中心として第１支持壁５１の径方向に沿って延びる複数の凹部が等角度間隔（第１噛合部４１ｃを構成する突起と同じ角度間隔）で形成されて構成されている。この場合、第２噛合部５１ｃは、各凹部に第１噛合部４１ｃの各突起が嵌り込むことにより、第１噛合部４１ｃと噛合する。また、本例では、第１支持壁５１では、対向面５１ｂの背面５１ｄ（同図中の上面）における中央部分に平面視円形の凹部５１ｅが形成されて、この凹部５１ｅの底面中央に第２貫通孔５１ａが開口する。なお、この凹部５１ｅの内径は、取付ピン４３の後述する円板状のピン頭部４３ｂの外径よりも若干大径に形成されて、このピン頭部４３ｂを収容可能に構成されている。
【００５２】
第２支持壁５２は、図９に示すように、円板体４１の底面４１ｄに対向して配設されると共に、底面４１ｄとの対向面５２ａの中心に第１貫通孔４１ａと同径の円形凹部５２ｂが形成されている。また、本例では、一例として、第２支持壁５２の対向面５２ａには、円形凹部５２ｂを取り囲むようにして、平面視円環状の周溝５２ｃが形成されている。この場合、周溝５２ｃは、その直径がバネ部材４５としてのコイルスプリングの直径と同一に規定されて、バネ部材４５の下端側が装着可能に構成されている。また、第２支持壁５２における対向面５２ａの背面５２ｄ（同図中の下面）には、パッド５４が取り付けられている（図２，９，１０参照）。第２支持壁５２の背面５２ｄは押付部３２における頭部１００の側頭部との接触面となるため、この背面５２ｄに柔軟で圧迫感の少ない素材で構成されたパッド５４を取り付けることにより、心地よく聴取補助装置１を装着することが可能となっている。また、装着部３は、上記したように一対の押付部３２で側頭部を挟持して頭部１００に装着される構成のため、パッド５４の素材として、側頭部と接触した際にすべりにくい素材（例えば、軟質ゴムやスポンジ等）が使用されている。
【００５３】
周壁５３は、図９に示すように、第１支持壁５１の対向面５１ｂにおける周縁部分の一部に立設された第１周壁５３ａと、第２支持壁５２の対向面５２ａにおける周縁部分の一部（対向面５１ｂの周縁部分における第１周壁５３ａの立設部位に対応する部位）に立設された第２周壁５３ｂとで構成されている。周壁５３は、上記の第１周壁５３ａと第２周壁５３ｂとが接合されることによって形成される。この場合、周壁５３の長さ、つまり、第１支持壁５１の対向面５１ｂと第２支持壁５２の対向面５２ａの間隔Ｘ１は、図１１に示すように、円板体４１における第１噛合部４１ｃの突起の突出長を含む円板体４１全体の厚みよりも若干広く形成されている。
【００５４】
このようにして、周壁５３が第１支持壁５１および第２支持壁５２の周縁部分をその周縁部分の一部を残して連結する構成を採用したことにより、第１支持壁５１および第２支持壁５２が周壁５３によって一体的に連結された状態において、本体部４２には、第１支持壁５１、第２支持壁５２および周壁５３の各内面で囲まれた内部領域（円板体４１を収容可能な内部領域）が形成されると共に、この内部領域と本体部４２の外部とを連通させる連通孔Ｂが形成される。
【００５５】
取付ピン４３は、図９に示すように、円柱状のピン本体４３ａと、ピン本体４３ａの他方の端部（同図中の上端部）に形成されたピン本体４３ａよりも大径な円板状のピン頭部４３ｂとを備えている。抜け止めリング４４は、一例として、Ｅリングであって、ピン本体４３ａに装着されて、取付ピン４３の抜脱を防止する。バネ部材４５は、一例として、コイルスプリングで構成されている。
【００５６】
以上の構成を備えた押付部３２では、図９に示すように、まず、取付ピン４３のピン本体４３ａが、第１支持壁５１の第２貫通孔５１ａに挿入され、さらに円板体４１の第１貫通孔４１ａに挿入される。次いで、第１貫通孔４１ａから突出するピン本体４３ａの下端側に抜け止めリング４４が装着される。これにより、抜け止めリング４４によって取付ピン４３の抜脱が防止されると共に、第１支持壁５１と円板体４１とが取付ピン４３を介して一体化される。続いて、ピン本体４３ａにおける抜け止めリング４４の装着部位よりも先端側にバネ部材４５が外嵌される。
【００５７】
次いで、ピン本体４３ａの先端が第２支持壁５２の円形凹部５２ｂ内に挿入され、かつバネ部材４５の下端側が周溝５２ｃに装着された状態で、図１０に示すように、第１支持壁５１に第２支持壁５２を接合する。これにより、押付部３２の組み立てが完了する。この状態では、バネ部材４５は、その第２支持壁５２側の端部が、第２支持壁５２に形成された周溝５２ｃに装着されることにより、その中心軸がピン本体４３ａの軸線（後述する第１軸線Ｌ１）とほぼ一致した状態となるように維持されている。
【００５８】
この押付部３２では、取付ピン４３に外力が加わっていないときには、図１０に示すように、バネ部材４５の付勢力により、バネ部材４５の上端と当接する抜け止めリング４４が、第２支持壁５２を基準として第１支持壁５１側に押動され、これに伴い、抜け止めリング４４が装着された取付ピン４３および抜け止めリング４４と接触する円板体４１も第１支持壁５１側に押動される（取付ピン４３が噛合位置に押動される）。このため、円板体４１に形成されている第１噛合部４１ｃは、第１支持壁５１に形成されている第２噛合部５１ｃと噛合する状態（噛合状態）に移行する。この噛合状態においては、本体部４２内でのピン本体４３ａを中心とした円板体４１の回動が規制される。
【００５９】
一方、取付ピン４３に第１支持壁５１側に押し込む向きの外力が加わり、図１１に示すように、バネ部材４５の付勢力に抗して、取付ピン４３が第２支持壁５２側に押動されているとき（解除位置に移動しているとき）には、抜け止めリング４４による円板体４１の第１支持壁５１側への押動が解除されるため、第１噛合部４１ｃと第２噛合部５１ｃとの噛合状態が解除された状態に移行する。この噛合の解除状態では、本体部４２内でのピン本体４３ａを中心とした円板体４１の回動が可能となる。
【００６０】
支持アーム３３は、図１，２，３に示すように、一端が押付部３２に連結されると共に他端がスピーカ２に連結されて、押付部３２の位置を基準としてスピーカ２を所定位置に支持する。本例では、一例として、支持アーム３３は、図２，３，９に示すように、一端が押付部３２を構成する本体部４２に連結されている。また、支持アーム３３は、図５に示すように、他端が連結ピン１４を構成する第１フランジ部１４ｂに固定されることにより、図５に示すように、連結ピン１４を介してスピーカ２の円筒状連結部２１に連結されている。一方、バンド部３１の各端部（各耳掛け部３１ａの先端部）は、図３，９，１０，１１に示すように、連通孔Ｂに挿通された連結材６１を介して、本体部４２内の円板体４１の外周面に連結されている。この構成により、押付部３２は、側頭部との接触面となる第２支持壁５２の背面５２ｄに対して直交する第１軸線Ｌ１を中心として図３に矢印で示す向きで支持アーム３３を回動可能に支持する。
【００６１】
マイク４は、一対の押付部３２のうちの少なくとも一方に取り付けられている。本例では、一例として、マイク４は、図２に示すように一対の押付部３２のそれぞれに、かつ図９に示すように各押付部３２における第１支持壁５１に配設された状態で取り付けられている。また、マイク４は、聴取者の頭部１００の前方からの周囲音を主として集音する指向性を有している。
【００６２】
具体的には、マイク４は、図３，９に示すように、頭部１００の前方側に位置する端部が開口する筒状（本例では、一例として円筒状）に形成された筐体４ａ、筐体４ａの内周面にこの内周面全体を覆うようにして配設された吸音材４ｂ、および筐体４ａにおける頭部１００の後方側に位置する端部の内面に配設されて、入力した周囲音を音響信号に変換すると共にケーブルＣＡを介してコントローラ５に出力するマイク本体４ｃを備えている。また本例では、筐体４ａにおける開口側の端部は、筐体４ａの軸線と直交する平面でカットされた形状に構成されている。この場合、筐体４ａの前方側から筐体４ａの軸線に沿って筐体４ａ内に入力される周囲音についてはマイク本体４ｃにそのまま入力され、筐体４ａの軸線に対して斜めの方向から筐体４ａ内に入力される周囲音については筐体４ａの内周面に配設された吸音材４ｂによって多くが吸収されることにより弱められた状態でマイク本体４ｃに入力される。この構成により、このマイク４では、筐体４ａが主として正面側からの音をマイク本体４ｃに案内する機能を有することから、上記の指向性が十分に高められている。なお、指向性を高める構成については、他の種々の公知の構成を採用することもできる。
【００６３】
コントローラ５は、図１に示すように、ケーブルＣＡを介してヘッドセットＨＳに接続されている。コントローラ５は、例えば、ケース５ａ、ケース５ａ内に配設された不図示のバッテリ、ケース５ａ内に配設された増幅部（アンプ）５ｂ、ケース５ａの表面に配設された不図示のオン・オフスイッチ、およびケース５ａの表面に配設された不図示のボリュームを備えて構成されている。このコントローラ５では、オン・オフスイッチがオン側に操作された状態においては、バッテリから増幅部５ｂに作動用電源が供給される。これにより、増幅部５ｂは、ヘッドセットＨＳの各マイク４から出力されている２つの音響信号をケーブルＣＡを介して入力すると共に、それぞれをボリュームで規定される増幅率で個別に増幅して、各マイク４に対応するスピーカ２（同じ押付部３２に取り付けられているスピーカ２）にケーブルＣＡを介して出力する。なお、オン・オフスイッチがオフ側に操作された状態においては、バッテリからの増幅部５ｂへの作動用電源の供給が停止された状態となるため、コントローラ５から各スピーカ２への音響信号の出力は停止される。
【００６４】
次に、聴取補助装置１の操作手順について、聴取補助装置１の動作と併せて説明する。
【００６５】
まず、ヘッドセットＨＳの頭部１００への装着手順について説明する。
【００６６】
まず、バンド部３１の各耳掛け部３１ａや各押付部３２を手で持ち、バンド部３１を弾性変形させることで、各押付部３２の間隔を広げ、この状態で各耳掛け部３１ａ間および各耳掛け部３１ａ間で頭部１００を挟むようにして装着部３を装着する。この際に、各耳掛け部３１ａを耳介１０２に引っ掛けるようにする。これにより、バンド部３１の弾性力によって各押付部３２で頭部１００の側頭部を挟持し、かつ各耳掛け部３１ａが耳介１０２に引っ掛かることで、ヘッドセットＨＳが頭部１００に装着される。
【００６７】
この装着状態において、頭部１００に主として接触する各押付部３２の頭部１００との接触面（第２支持壁５２の背面５２ｄ）には、パッド５４が取り付けられているため、圧迫感の少ない状態で心地よくヘッドセットＨＳを装着することができる。
【００６８】
次いで、各スピーカ２を聴取者の耳穴１０１から頭部１００の側方に離間した所定位置に配置させる。この際に、各押付部３２の取付ピン４３におけるピン頭部４３ｂを本体部４２に押し込むことにより、上記したように、第１支持壁５１に形成された第２噛合部５１ｃと円板体４１に形成された第１噛合部４１ｃとの噛合状態が解除されるため、押付部３２の第１軸線Ｌ１（取付ピン４３）を中心として、支持アーム３３がバンド部３１に対して回動可能な状態となる。これにより、頭部１００の側頭部において、第１軸線Ｌ１を中心として支持アーム３３の回動範囲内で各スピーカ２を回動させて好ましい位置に移動させる。この場合、第１軸線Ｌ１を中心とした支持アーム３３の回動に伴い、支持アーム３３が取り付けられている押付部３２の第１支持壁５１も回動し、この第１支持壁５１に取り付けられているマイク４も回動する。しかしながら、人の頭部１００の形状は様々であるものの、側頭部における押付部３２の当接する当接部位と耳穴１０１との基本的な位置関係、つまり、図１に示すように押付部３２の当接部位の後方斜め下側に耳穴１０１が位置するという位置関係が共通であることから、スピーカ２を耳穴１０１に対して好ましい位置に移動させたときのスピーカ２と押付部３２との基本的な位置関係もほぼ共通する。このため、この位置においてマイク４が頭部１００の正面を向くように押付部３２の第１支持壁５１に予め固定しておくことにより、スピーカ２を耳穴１０１に対して好ましい位置に移動させたときに、マイク４の正面（マイク４の筐体４ａにおける開口側）も自動的に（同時に）頭部１００の正面側を向く位置に位置決めされる。
【００６９】
なお、各スピーカ２を好ましい位置に移動させた後には、取付ピン４３の本体部４２への押し込みを解除する。これにより、取付ピン４３および円板体４１が本体部４２内のバネ部材４５の付勢力によって第１支持壁５１の方向に移動させられて、第１支持壁５１の第２噛合部５１ｃと円板体４１の第１噛合部４１ｃとが噛合状態に移行する。したがって、バンド部３１に対する支持アーム３３の回動が規制されて、支持アーム３３が位置決めされる。また、支持アーム３３の位置決めが完了した後は、一対の押付部３２が側頭部を挟持する構成（本例では、さらにすべりにくい素材で形成されたパッド５４が側頭部と当接した状態で一対の押付部３２が側頭部を挟持する構成）のため、ヘッドセットＨＳに多少の外力が加わったとしても、支持アーム３３、押付部３２およびバンド部３１の位置が大幅にずれるといった事態の発生が防止されて、ましてやヘッドセットＨＳが頭部１００から外れるといった事態についてはその発生が確実に防止されている。
【００７０】
続いて、支持アーム３３に対してスピーカ２を第２軸線Ｌ２を中心として回動させて、上記した第１位置、第２位置および第３位置のうちの好ましい位置に移動させることにより、スピーカ２を所定位置に配置させる。これにより、図１に示すように、ヘッドセットＨＳの頭部１００への装着が完了する。このようにして、各スピーカ２が所定位置に位置決めされた状態でヘッドセットＨＳが頭部１００に装着された状態では、各スピーカ２のスピーカユニット１２が、対応する耳穴１０１から頭部１００の側方に離間し、かつ耳穴１０１に指向された状態となることから、耳穴１０１内の汚れがスピーカ２の表面に付着して見苦しくなるという事態や、ヘッドセットＨＳの装着によって耳が痛くなるという事態の発生が確実に防止されて、良好な装着感を聴取者に与えることができる。
【００７１】
なお、上記の例では、装着部３のバンド部３１が頭部１００の後頭部側に位置した状態でヘッドセットＨＳを装着しているが、例えば、バンド部３１が頭部１００の頂部に掛かり、かつ一対の押付部３２が側頭部に接触した状態でヘッドセットＨＳを装着することも可能であり、この装着状態においても、上記のようにして各取付ピン４３を操作することにより、バンド部３１に対して各支持アーム３３を回動させて各スピーカ２を任意の位置に移動させることができるため、各スピーカ２を上記の所定位置に配置させることが可能であると共に、マイク４をその正面が頭部１００の正面側に向くように配置させることが可能である。
【００７２】
続いて、ヘッドセットＨＳの装着状態において、コントローラ５のオン・オフスイッチをオン側に操作する。これにより、コントローラ５の増幅部５ｂが作動を開始して、ヘッドセットＨＳの各マイク４から出力されている２つの音響信号をケーブルＣＡを介して入力すると共に、ボリュームで規定される増幅率で各音響信号を個別に増幅して、各マイク４に対応するスピーカ２にケーブルＣＡを介して出力する。これにより、右側の押付部３２に取り付けられているマイク４において集音された周囲音が右側の押付部３２に取り付けられているスピーカ２から増幅されて出力され、左側の押付部３２に取り付けられているマイク４において集音された周囲音が左側の押付部３２に取り付けられているスピーカ２から増幅されて出力される。したがって、聴取者は、聴取者の左右の耳とほぼ同じ位置に配置された左右のマイク４で個別に集音された周囲音を、マイク４に対応する左右のスピーカ２から増幅した状態で、かつステレオで聞くことができるため、違和感の極めて少ない状態で周囲音を聴取することが可能となっている。
【００７３】
また、この聴取補助装置１では、各マイク４が聴取者の頭部１００の前方からの周囲音を主として集音する指向性を有しているため、自身の耳で聴取可能な聴取者の近傍の周囲音については自身の耳で直接聴取しつつ、離間した位置からの聞き取り難い周囲音については増幅して聴取することが可能となっている。
【００７４】
このように、この聴取補助装置１では、ヘッドセットＨＳの頭部１００への装着状態において、各スピーカ２が、頭部１００における側頭部を挟持する各押付部３２に連結された支持アーム３３によって耳穴１０１から頭部１００の側方に離間した所定位置に配置されている。したがって、この聴取補助装置１によれば、耳穴１０１内の汚れがスピーカ２の表面に付着して見苦しくなるという事態、およびヘッドセットＨＳの装着によって耳が痛くなるという事態の発生を確実に防止することができるため、良好な装着感を聴取者に与えることができる。
【００７５】
また、この聴取補助装置１では、各押付部３２が押付部３２における側頭部との接触面に対して直交する第１軸線Ｌ１を中心とする支持アーム３３の回動を可能に構成されている。したがって、この聴取補助装置１によれば、支持アーム３３に取り付けられたスピーカ２を押付部３２に対して回動させることができるため、スピーカ２を所定位置に確実に移動させることができることから、スピーカ２（具体的にはスピーカユニット１２）から出力される音を効率よく聴取する（十分な音を聴取する）ことができる。
【００７６】
また、この聴取補助装置１では、各スピーカ２が、背面側が半楕円球状（または半球状）に形成されたエンクロージャ１１を備え、このエンクロージャ１１の内部に音反射材１５および各吸音材１６，１７がエンクロージャ１１の奥部側からスピーカユニット１２方向に向けてこの順に積層されると共に、各吸音材１６，１７の中心に音反射材１５の表面をスピーカユニット１２側に露出させる各円形孔１６ａ，１７ａが形成されている。
【００７７】
したがって、この聴取補助装置１のスピーカ２によれば、
スピーカユニット１２からその背面側に出力される音のうち、エンクロージャ１１の軸線Ｌ３に沿った方向に向かう音については、各円形孔１６ａ，１７ａを介して音反射材１５に到達させると共に音反射材１５によってスピーカユニット１２側に反射させ、軸線Ｌ３に沿った方向以外の方向に向かう音については各吸音材１６，１７で吸収することができる。また、音反射材１５によってスピーカユニット１２側に反射される音のうち、エンクロージャ１１の軸線Ｌ３に沿った方向に向かう音についてはエンクロージャ１１の正面側から出力させ、軸線Ｌ３に沿った方向以外の方向に向かう音については各吸音材１６，１７で吸収することができる。これにより、この聴取補助装置１によれば、スピーカ２の軸線Ｌ３の方向への指向性を十分に高めつつ、エンクロージャ１１からの音漏れの少ない状態で、効率よく耳穴１０１に音を出力することができるため、スピーカユニット１２から出力される音を一層効率よく聴取することができる。
【００７８】
また、この聴取補助装置１によれば、スピーカ２のエンクロージャ１１における背面側が半カップ状（半楕円球状または半球状）に形成されているため、エンクロージャ１１から出力される音に対する共振が生じにくく、これによってスピーカ２の周波数特性がよりフラットに近い状態になるため、優れた音質で音を出力することができる。
【００７９】
また、この聴取補助装置１では、第１吸音材１６と、第１吸音材１６よりも低域側の音を吸収する第２吸音材１７とがエンクロージャ１１の奥部側からスピーカユニット１２方向に向けて積層されて構成されている。したがって、この聴取補助装置１によれば、エンクロージャ１１からの不要な音の漏れ出しを低音域から高音域に亘って十分に抑制することができる。
【００８０】
また、この聴取補助装置１によれば、各押付部３２が、上記のように構成された円板体４１、本体部４２、取付ピン４３、抜け止めリング４４およびバネ部材４５を備えて構成されているため、簡単な構造でありながら、バンド部３１に対するスピーカ２の回動を可能にすることができるため、一対の押付部３２で頭部１００の側頭部を挟持した状態でのバンド部３１の頭部１００への装着位置の自由度を高めつつ、各スピーカ２を所定位置に確実に配置することができる。
【００８１】
また、この聴取補助装置１によれば、各スピーカ２が、対応する支持アーム３３の長さ方向に沿った（長さ方向とほぼ平行な）第２軸線Ｌ２を中心として回動自在に支持アーム３３の他端に連結されているため、スピーカユニット１２の向きを微調整することができることから、スピーカユニット１２が耳穴１０１の方向に向く所定位置にスピーカ２を確実に配置することができる。これにより、スピーカユニット１２から出力される音をより一層効率よく聴取することができる。
【００８２】
また、この聴取補助装置１では、マイク４が一対の押付部３２のそれぞれに取り付けられ、コントローラ５内の増幅部５ｂは、各マイク４から出力される音響信号をそれぞれ増幅すると共に、マイク４と同じ押付部３２に取り付けられたスピーカ２に出力（供給）する。したがって、この聴取補助装置１によれば、聴取者は、聴取者の左右の耳とほぼ同じ位置に配置された左右のマイク４で個別に集音された周囲音を、マイク４に対応する左右のスピーカ２から増幅した状態で、かつステレオで聞くことができるため、違和感の極めて少ない状態で周囲音を聴取することができる。
【００８３】
また、この聴取補助装置１によれば、各マイク４が聴取者の頭部１００の前方からの周囲音を主として集音する指向性を有しているため、自身の耳で聴取可能な聴取者の近傍の周囲音については自身の耳で直接聴取しつつ、聞き取り難い離間した位置からの周囲音を増幅して聴取することができる。
【００８４】
なお、上記の構成に限定されない。例えば、上記の例では、押付部３２の本体部４２に支持アーム３３を連結し、円板体４１にバンド部３１の耳掛け部３１ａを連結する構成を採用しているが、図示はしないが、押付部３２の本体部４２に耳掛け部３１ａを連結し、円板体４１に支持アーム３３を連結する構成を採用することもできる。なお、この構成を採用したときには、バンド部３１の頭部１００への装着位置により、バンド部３１に連結された本体部４２を構成する第１支持壁５１、さらにはこの第１支持壁５１に取り付けられたマイク４も第１軸線Ｌ１を中心として回動する。このため、図示はしないが、マイク４を第１軸線Ｌ１と平行な他の軸線を中心として回動自在に第１支持壁５１に取り付ける構成を採用して、マイク４の上下方向の向きを調整し得るように構成することもできる。
【００８５】
また、上記の聴取補助装置１では、第１軸線Ｌ１を中心とする支持アーム３３の回動を可能に各押付部３２を構成しているが、各スピーカ２の耳穴１０１に対する位置調整が不要な場合には、第１軸線Ｌ１を中心とする支持アーム３３の回動を不能に各押付部３２を構成することもできる。
【００８６】
また、上記の聴取補助装置１では、各押付部３２にマイク４を取り付けることにより、ステレオで周囲音を聴取し得る構成を採用しているが、各押付部３２のいずれか一方にのみマイク４を取り付けて、この１つのマイク４で集音された周囲音を左右のスピーカ２から出力する構成（モノラルで周囲音を聴取する構成）を採用することもできる。また、２つのマイク４で集音した音をミキシングして左右のスピーカ２から出力する構成（モノラルで周囲音を聴取する他の構成）を採用することもできる。
【００８７】
また、図１２に示すように、マイク４の筐体４ａにおける頭部１００の前方側の端部を、押付部３２寄りの口縁に対して押付部３２から離れた口縁が頭部１００の後方側に後退した状態（例えば、同図中の右側のマイク４では、押付部３２寄りの口縁（左側の口縁）に対して押付部３２から離れた口縁（右側の口縁）が頭部１００の後方側（上方側）に後退した状態）で形成する構成を採用することもできる。本例では、同図に示すように、一例として各押付部３２に取り付けられているマイク４の筐体４ａにおける前方側（開口側）の端部を平面ＰＬ１，ＰＬ２に沿って斜めにカットすることで、押付部３２寄りの口縁に対して押付部３２から離れた口縁が頭部１００の後方側に後退した状態に形成されている。
【００８８】
この構成のマイク４では、筐体４ａの開口部分が筐体４ａの軸線と直交する平面でカットされて形成されている図３，９に示す構成と比較して、筐体４ａの開口部分がヘッドセットＨＳが装着された頭部１００の側方に一層開口する構成となるため、聴取者の頭部１００の前方からの周囲音についての指向性を確保しつつ、頭部１００側方からの周囲音をより聴取し易くすることができる。
【符号の説明】
【００８９】
１  聴取補助装置
２  スピーカ
３  装着部
４  マイク
５  コントローラ
５ｂ  増幅部
１１  エンクロージャ
１２  スピーカユニット
１５  音反射材
１６  第１吸音材
１６ａ  円形孔
１７  第２吸音材
１７ａ  円形孔
３１  バンド部
３２  押付部
３３  支持アーム
４１  円板体
４１ａ  第１貫通孔
４１ｃ  第１噛合部
４２  本体部
４３  取付ピン
４４  抜け止めリング
４５  バネ部材
５１  第１支持壁
５１ａ  第２貫通孔
５１ｃ  第２噛合部
５２  第２支持壁
５２ｂ  円形凹部
１００  頭部
１０１  耳穴
Ｌ１  第１軸線
【図１】
0005968642.tif 000002
【図２】
0005968642.tif 000003
【図３】
0005968642.tif 000004
【図４】
0005968642.tif 000005
【図５】
0005968642.tif 000006
【図６】
0005968642.tif 000007
【図７】
0005968642.tif 000008
【図８】
0005968642.tif 000009
【図９】
0005968642.tif 000010
【図１０】
0005968642.tif 000011
【図１１】
0005968642.tif 000012
【図１２】
0005968642.tif 000013